(57)【要約】【課題】  植木・盆栽の輸出に際し検疫上問題となる植物寄生性線虫を防除する手段を提供する。【解決手段】  植木・盆栽の根鉢をポリ袋に入れて密閉し、４５−５０℃に加温して１５分から３０分間維持することによる植物寄生性線虫の防除方法。【選択図】図１
2013192554.tif 000002
【特許請求の範囲】
【請求項１】
植木・盆栽の根鉢をポリ袋に密閉し４５−５０℃の温度に１５分から３０分間維持することにより根及び根鉢土壌内の植物寄生性線虫を防除する方法。
【発明の詳細な説明】
【技術分野】
【０００１】  本発明は、植木・盆栽の輸出における土壌線虫の防除に関する。
【背景技術】
【０００２】  植木・盆栽は日本の輸出検疫を経て輪入各国の植物防疫機関による輸入検疫に合格した後、現地で販売できるが、特にＥＵでは有害線虫の侵入を厳しく取り締まる傾向にあり輸入検疫が厳格化されている。輸出増加のためには生産及び出荷時の線虫防除方法の確立が課題となっている。【０００３】  薬剤による防除はフォスチアゼート液剤が樹木のネグサレセンチュウに登録され使用されており、ネコブセンチュウにも効果が期待されているが、検疫上重要視されているボンサイオオハリセンチュウやユミハリセンチュウに対しては効果が得られていない。一方、ボンサイオオハリセンチュウやユミハリセンチュウを防除出来る薬剤が見出され、農薬登録が進められて実用的な方法として期待されているが、ネコブセンチュウやネグサレセンチュウには効果が低い。
この主要な４種類の寄生性線虫を全種一律に防除出来る薬剤は見出されておらず、一方で薬剤に依存しない方法も重要であり、寄生性線虫を無差別に防除出来る物理的な方法の確立が課題である。【０００４】  Ｈｅｉｎｚ  Ｄｅｃｋｅｒは総説で果樹苗、球根や塊茎の温水処理による線虫防除と発芽能力の研究を紹介している。
りんご苗内のキタネグサレセンチュウ防除に４６．１−４６．７℃、３０分処理。イチゴ根内のキタネグサレセンチュウ、キタネコブセンチュウ防除に４９．４℃、１７．５分処理又は５１℃、７．５分処理又は５２．８℃、３分又は５４．４℃、１分処理。バナナのネコブセンチュウ、ラセンセンチュウの防除に５５℃、２０分処理。ベゴニア球根のアレナリアネコブセンチュウの防除に４５℃、１時間又は４８℃、３０分。等々多くの研究があり、種々の植物体について夫々防除温度の設定が検討されている。土壌の介在しない条件下であるが、植物体に直接接触する温湯処理の難しさを示している。
【非特許文献１】Ｈｅｉｎｚ  Ｄｅｃｋｅｒ  １９８９「Ｐｌａｎｔｎｅｍａｔｏｄｅｓ  ａｎｄ  ｔｈｅｉｒ  ｃｏｎｔｒｏｌ（Ｐｈｙｔｏｎａｍａｔｏｌｏｇｙ）」
【０００５】
【発明の概要】
【発明が解決しようとする課題】
【０００６】  国内各産地から集積した各種の植木・盆栽の線虫寄生状況は一律ではなく、輸出時の対策としては複数種の寄生線虫を無差別に一律防除出来る方法が望まれている。
現在は根鉢を殺線虫性の薬液に浸漬する方法が実用的であり、ネコブセンチュウやネグサレセンチュウを防除出来る農薬が使用され、検疫上重要なボンサイオオハリセンチュウやユミハリセンチュウを防除出来る薬剤も見出されている。しかしこの主要な４種類の寄生性線虫を全種一律に防除出来る薬剤は見出されていない。【０００７】  線虫種に寄らず防除出来る物理的な方法として、根鉢を直接温湯に浸漬し土壌及び根を温湯の中で加温し線虫を防除する方法が最近検討されたが、植木・盆栽を障害する場合があり実用化に至っていない。植木・盆栽の障害温度と線虫の防除温度が近接しており、双方を満足する様な温度管理の難しいことが明らかにされている。
【課題を解決するための手段】
【０００８】  植木・盆栽の根鉢をポリ袋等に入れて密閉し、温湯等で４５℃−５０℃に加温して１５分から３０分間維持することにより植物寄生性線虫を防除することが出来る。
根鉢を直接温湯に浸漬し土壌及び根を温湯の中で加温する場合と異なり、根鉢を密閉し加温すると根及び土壌は直接温湯に触れることなく４５−５０℃間に設定した特定の温度で推移し、植木・盆栽の温度障害が緩和されると共に、土壌の密閉薫蒸的な処理のために線虫の死滅比率が増大し植木・盆栽に温度障害を生じることなく寄生性線虫を防除できる事を見出した。
【発明の効果】
【０００９】  植木・盆栽を傷めることなく鉢土壌中の寄生性線虫を種類に寄らず一律に死滅させることができ、輸出検疫上重要な手段に成り得る。土壌だけでなく根も加温されるためネグサレセンチュウの様に根に侵入している線虫にも有効である。
【図面の簡単な説明】
【００１０】
【図１】植木・盆栽の鉢をポリ袋に入れて密閉し、温湯で加温する方法を示した図である。
【図２】植木・盆栽の鉢をポリ袋に入れて密閉し太陽光で加温する方法を示した図である。
【発明を実施するための形態】
【００１１】  植木や盆栽の根鉢、あるいは植木鉢をポリ袋に入れて木の根元でポリ袋を輪ゴム、ヒモ又は針金等を用いて口を閉じる。例えば温湯に浸けた時余分な空気が抜け温湯が鉢に密着できる程度に封じれば良い。鉢には予め根に添って土壌中心部に届くよう温度計を挿しておく。温度計は現在温度と設定温度を表示し設定温度に到達するとブザーが鳴る市販品や各種ヒーターと連動して設定温度到達後、温度を維持する装置を用いることも出来る。
又、根鉢土壌が乾燥していると線虫の温度耐性が上がるため、通常の潅水を行っておくことが必要である。
【００１２】  加温の方法は例えば図−１の様に温湯に漬けることや、図−２の様に放射熱により加温することが出来る。温湯の場合は予め４５℃に加熱した温湯に鉢を浸けて温度計が４５℃を示すまでに、６号鉢の場合４５分〜６０分を必要とし、鉢の大型化に連れて長時間を要する。放射熱による加温は例えば小型鉢の場合、太陽光にさらすと上記温湯の場合の１／２の時間で４５℃に到達し維持することが出来る。
密閉された根鉢は空気と一定の水分を含む土壌であり、熱しにくく冷めにくい性質を持つ。実用的な時間内に加温処理が可能なように、鉢のサイズと加温方法を工夫しなければならないが４５℃到達後、４５±１℃で１５分〜３０分間維持することは容易である。
【実施例】
【００１３】  発明の実施の形態を実施例に基づき説明する。本発明はこの形態に限定されるものではない。
【実施例１】  モミジ鉢（４．５号）の鉢中心部に温度計を挿し、鉢と同様のサイズのポリ袋に入れて鉢全体を包み、植木の根元でポリ袋を輪ゴムで封じた。温度計は現在温度と設定温度（４５℃）を表示し設定温度に到達するとブザーが鳴る物を用いた。【００１４】  ポリ袋に密閉した鉢部分を約４５℃の温湯に浸すと鉢の温度上昇が始まり、約４５−６０分で温度計が４５℃到達を知らせた。温度計が４５±１℃を維持するよう温湯の加熱を調整して２０分間温度を維持した後、鉢を温湯から取り出しポリ袋を除去して放冷した。
２日後鉢土壌を５０ｇ取り、２層遠沈法で線虫を分離して検出された全ての線虫を種類別に計測した。処理後の分離線虫は生死を観察した後、更にベルマン皿に載せて濾紙を通過する運動性の有無を確認し併せて生死の判定を行った。合計８鉢を用いた。
全ての鉢土壌は処理前に土壌５０ｇを取り線虫を計測している。【００１５】  結果は２表に分けて示したが、植物寄生性線虫と自活性線虫とで明らかな差が生じたためである。表−１に植物寄生性線虫の結果を示した。何れも２日後ではまだ線虫の死骸が多く検出されるものの、生存線虫はワセンチュウの１鉢を除き観察されなかった。
表−２には同時に観察された自活性線虫を示した。２日後もなお生存する個体があり寄生性線虫と比較して温度耐性が高いこと、アフェレンクスとアフェレンコイデスは特に高い温度耐性を示すことが判明した。処理後の鉢は３〜６ヵ月間ハウスで栽培した結果、葉色や樹勢に影響は観察されなかった。
【実施例２】
【００１６】  黒松鉢（４．５号）の鉢中心部に温度計を挿し、鉢と同様のサイズのポリ袋に入れて鉢全体を包み、植木の根元でポリ袋を輪ゴムで封じた。ポリ袋に密閉した鉢部分を約４５℃の温湯に浸すと鉢の温度上昇が始まり、約５０分で温度計が４５℃到達を知らせた。温度計が４５±１℃を維持するよう温湯の加熱を調整して２０分間温度を維持した後、鉢を温湯から取り出しポリ袋を除去して放冷した。
放冷後、直ちに鉢土壌を５０ｇ取り２層遠沈法で線虫を分離して検出された全ての線虫を種類別に計測した。更に７日後、同様に鉢土壌を５０ｇ取り２層遠沈法で線虫を分離して計測した結果を表−３に示した。【００１７】  黒松にはニセシストセンチュウが多く寄生しているが、７日後は全く検出されなかった。死骸も検出されず土壌中の微生物、酵素により分解されたと推定される。処理直後では多数の寄生性線虫が分離されたが大部分は死骸であった。
又自活性線虫は実施例１と同様な結果を示した。処理後の鉢は３〜６ヵ月間ハウスで栽培した結果、葉色や樹勢に影響は観察されなかった。
【表１】
2013192554.tif 000003
【表２】
2013192554.tif 000004
【表３】
2013192554.tif 000005
【図１】
2013192554.tif 000006
【図２】
2013192554.tif 000007